(57)【要約】【課題】三脚等に取り付けてあるカメラ装置をカメラマンが持って撮影しなければならなくなった場合、瞬時に三脚等から取り外し撮影することができるようにする。【解決手段】カメラ装置側接点と、前記カメラ装置側接点を介して入力される制御信号に基づいて制御されるレンズ装置と、を備えるカメラ装置が着脱自在に装着されるカメラプレートにおいて、レンズコントローラが接続されるコネクタと、前記コネクタに電気的に接続されており、前記カメラ装置が装着された場合に前記カメラ装置側接点に接触することにより、前記レンズコントローラから前記コネクタ及び前記カメラ装置側接点を介して入力される制御信号に基づいて前記レンズ鏡胴を制御可能とするカメラプレート側接点と、を備えることを特徴とする。【選択図】  図１
2007300326.tif 000002
【特許請求の範囲】
【請求項１】
カメラ装置側接点と、前記カメラ装置側接点を介して入力される制御信号に基づいて制御されるレンズ装置と、を備えるカメラ装置が着脱自在に装着されるカメラプレートにおいて、
レンズコントローラが接続されるコネクタと、
前記コネクタに電気的に接続されており、前記カメラ装置が装着された場合に前記カメラ装置側接点に接触することにより、前記レンズコントローラから前記コネクタ及び前記カメラ装置側接点を介して入力される制御信号に基づいて前記レンズ鏡胴を制御可能とするカメラプレート側接点と、
を備えることを特徴とするカメラプレート。
【請求項２】
カメラ装置側無線通信部と、前記カメラ装置側無線通信部を介して入力される制御信号に基づいて制御されるレンズ装置と、を備えるカメラ装置が着脱自在に装着されるカメラプレートにおいて、
レンズコントローラが接続されるコネクタと、
前記コネクタに電気的に接続されており、前記カメラ装置が装着された場合に前記カメラ装置側無線通信部との間で無線データ通信することにより、前記レンズコントローラから前記コネクタ及び前記カメラ装置側無線通信部を介して入力される制御信号に基づいて前記レンズ鏡胴を制御可能とするカメラプレート側無線通信部と、
を備えることを特徴とするカメラプレート。
【請求項３】
請求項１又は２に記載のカメラプレートが装着された三脚。
【請求項４】
請求項１又は２に記載のカメラプレートが装着されたクレーン装置。
【発明の詳細な説明】
【技術分野】
【０００１】
本発明は、カメラプレートに係り、特に、外部から入力される制御信号に基づいて制御されるレンズ鏡胴を備えるカメラ装置が着脱自在に装着されるカメラプレートに関する。
【背景技術】
【０００２】
一般に、カメラ装置（例えばＥＮＧ(Electric News Gathering)カメラ）については、三脚に取り付けて撮影する場合と、カメラマンが持って撮影する場合がある。カメラ装置を三脚に取り付けて使用する場合、ズームデマンド等のコントローラがレンズ鏡胴等に接続され、このコントローラにより放送用カメラ装置のレンズを制御するようになっている。
【０００３】
本発明に関連があると思われるものとして、例えば特許文献１がある。この特許文献１には、カメラ装置を三脚にネジ止めする構成、並びに、三脚に内蔵された光ファイバ及びカメラ装置に内蔵された光ファイバを介してカメラ装置をリモート制御する構成が開示されている。
【特許文献１】特開平３−１５９３７５号公報
【発明の開示】
【発明が解決しようとする課題】
【０００４】
しかしながら、三脚に取り付けてあるカメラ装置をカメラマンが持って撮影しなければならなくなった場合、上記のようにズームデマンド等のコントローラがレンズ鏡胴等に接続されている、あるいは、カメラ装置が三脚にネジ止めされているので、瞬時に三脚から取り外し撮影することができないという問題がある。
【０００５】
また、特許文献１においては、三脚内にカメラ装置を制御する構成（光ファイバ等）が内蔵されているので、カメラ装置を他の三脚あるいはクレーン装置に装着した場合には、もはやカメラ装置等をリモート制御することができないという問題がある。
【０００６】
本発明は、このような事情に鑑みてなされたものであり、三脚等に取り付けてあるカメラ装置をカメラマンが持って撮影しなければならなくなった場合、瞬時に三脚等から取り外し撮影することができるようにすることを目的とする。また、カメラ装置を他の三脚あるいはクレーン装置等に装着した場合でも、カメラ装置等をリモート制御することができるようにすることを目的とする。
【課題を解決するための手段】
【０００７】
本発明は上記課題を解決するためになされたものであり、請求項１に記載の発明は、カメラ装置側接点と、前記カメラ装置側接点を介して入力される制御信号に基づいて制御されるレンズ装置と、を備えるカメラ装置が着脱自在に装着されるカメラプレートにおいて、コントローラが接続されるコネクタと、前記コネクタに電気的に接続されており、前記カメラ装置が装着された場合に前記カメラ装置側接点に接触することにより、前記コントローラから前記コネクタ及び前記カメラ装置側接点を介して入力される制御信号に基づいて前記レンズ鏡胴を制御可能とするカメラプレート側接点と、を備えることを特徴とする。
【０００８】
請求項１に記載の発明によれば、カメラ装置がカメラプレートに装着された場合、カメラ装置側接点がカメラプレート側接点に接触することにより、コントローラからカメラ装置側接点等を介して制御信号を入力し、この入力される制御信号に基づいてレンズ鏡胴を制御することが可能となる。
【０００９】
すなわち、従来とは異なり、コントローラとカメラ装置とがカメラプレートを介して接続され、かつ、カメラ装置はカメラプレートに着脱自在に装着されるように構成されているので、カメラプレート（及び三脚）に取り付けてあるカメラ装置をカメラマンが持って撮影しなければならなくなった場合であっても、瞬時にカメラプレートから取り外し撮影することが可能となる。
【００１０】
また、コントローラとカメラ装置とがカメラプレートを介して接続されることになるので、カメラプレートを三脚から取り外して他の三脚あるいはクレーン装置等に装着することにより、他の三脚等であってもカメラ装置（例えばレンズ鏡胴）等をリモート制御することが可能となる。
【００１１】
請求項２に記載の発明は、カメラ装置側無線通信部と、前記カメラ装置側無線通信部を介して入力される制御信号に基づいて制御されるレンズ装置と、を備えるカメラ装置が着脱自在に装着されるカメラプレートにおいて、コントローラが接続されるコネクタと、前記コネクタに電気的に接続されており、前記カメラ装置が装着された場合に前記カメラ装置側無線通信部との間で無線データ通信することにより、前記コントローラから前記コネクタ及び前記カメラ装置側無線通信部を介して入力される制御信号に基づいて前記レンズ鏡胴を制御可能とするカメラプレート側無線通信部と、を備えることを特徴とする。
【００１２】
請求項２に記載の発明によれば、カメラ装置が装着された場合、カメラ装置側無線通信部（例えば赤外線通信部）がカメラプレート側無線通信部（例えば赤外線通信部）との間で無線データ通信することにより、コントローラからカメラ装置側無線通信部等を介して制御信号を入力し、この入力される制御信号に基づいてレンズ鏡胴を制御可能となる。
【００１３】
すなわち、従来とは異なり、コントローラとカメラ装置とがカメラプレートを介して接続され、かつ、カメラ装置はカメラプレートに着脱自在に装着されるように構成されているので、カメラプレート（及び三脚）に取り付けてあるカメラ装置をカメラマンが持って撮影しなければならなくなった場合であっても、瞬時にカメラプレートから取り外し撮影することが可能となる。
【００１４】
また、コントローラとカメラ装置とがカメラプレートを介して接続されることになるので、カメラプレートを三脚から取り外して他の三脚あるいはクレーン装置等に装着することにより、他の三脚等であってもカメラ装置（例えばレンズ鏡胴）等をリモート制御することが可能となる。
【００１５】
また、本発明は三脚として次のように特定することもできる。請求項１又は２に記載のカメラプレートが装着された三脚。
【００１６】
また、本発明はクレーン装置として次のように特定することもできる。  請求項１又は２に記載のカメラプレートが装着されたクレーン装置。
【発明の効果】
【００１７】
本発明によれば、三脚等に取り付けてあるカメラ装置をカメラマンが持って撮影しなければならなくなった場合であっても、瞬時に三脚等から取り外し撮影することが可能となる。また、カメラ装置等を他の三脚あるいはクレーン装置等に装着した場合でも、カメラ装置をリモート制御することが可能となる。
【発明を実施するための最良の形態】
【００１８】
以下添付図面に従って本発明に係るカメラプレートの好ましい実施の形態について説明する。
【００１９】
図１は、本発明に係るカメラプレートを適用したカメラシステム（第１実施形態）の全体構成を説明するための図である。
【００２０】
図１に示すように、本実施形態のカメラシステムは、三脚１０、カメラプレート２０、レンズコントローラ（以下コントローラともいう）３０、及びカメラ装置４０を備えている。
【００２１】
三脚１０は、一般的な三脚であり、脚部１１、雲台１２、及びチルトパンアーム１３等を備えている。雲台１２の装着面１２ａには、カメラプレート２０が固定されるようになっている。固定の方法としては、例えば、ネジ止めが考えられる。
【００２２】
カメラプレート２０はプレート状の筐体を有しており、その筐体には、図２に示すように、コントローラ３０が接続されるコネクタ２１、及び、カメラ装置４０が装着された場合にそのカメラ装置４０底面に設けられたカメラ装置側接点４１ａ（電源用）、４１ｂ（制御信号用）、４１ｃ（ＧＮＤ用）に接触する接点２２ａ（電源用）、２２ｂ（制御信号用）、２２ｃ（ＧＮＤ用）等を備えている。各接点２２ａ〜２２ｃとコネクタ２１とは電気的に接続されている。なお、各接点４１ａ〜４１ｃをカメラ装置４０側面に設けることも考えられる。
【００２３】
また、カメラプレート２０には、カメラ装置４０が装着された場合にそのカメラ装置４０をカメラプレート２０に固定するため固定手段（図示せず）が設けられている。この固定手段としては、例えば、カメラ装置４０が装着された場合にカメラ装置４０に係合する係合爪（図示せず）をカメラプレート２０に設ける（あるいは逆に、カメラ装置４０が装着された場合にカメラプレート２０に係合する係合爪（図示せず）をカメラ装置４０に設ける）ことが考えられる。そして、この係合爪による係合を、図１に示すスライドスイッチ２３をスライドさせることにより解除することが考えられる。このようにすれば、カメラ装置４０を瞬時にカメラプレート２０から取り外し撮影することが可能となる。
【００２４】
コントローラ３０は、レンズ鏡胴４２内のレンズを制御するための制御信号を発生するためのものであり、例えば、ズーム速度を指示するための制御信号を発生するズームデマンド３１や、フォーカス位置を指示するための制御信号を発生するフォーカスデマンド３２等である。コントローラ３０はケーブルＫを介してカメラプレート２０のコネクタ２１に接続されている。
【００２５】
カメラ装置４０は、例えばＥＮＧ(Electric News Gathering)カメラであり、その底面に設けられたカメラ装置側接点４１ａ（電源用）、４１ｂ（制御信号用）、４１ｃ（ＧＮＤ用）、及びレンズ鏡胴４２（レンズ制御部４２ａ）が接続されるコネクタ４３等を備えている。各接点４１ａ〜４１ｃとコネクタ４３とは電気的に接続されている。
【００２６】
次に、上記構成のカメラシステムの使用例について簡単に説明する。
【００２７】
まず、三脚１０を使って撮影する場合について説明する。
【００２８】
この場合、まず、図１に示すように、雲台１２の装着面１２ａにカメラプレート２０をネジ止め等により固定する。そして、カメラプレート２０にコントローラ３０が接続されていなければ、コントローラ３０をカメラプレート２０のコネクタ２１に接続する。
【００２９】
次に、雲台１２に固定されたカメラプレート２０にカメラ装置４０を装着する。この装着により、カメラプレート２０の各接点２２ａ〜２２ｃがカメラ装置４０底面に設けられたカメラ装置側接点４１ａ〜４１ｃに接触する。これにより、レンズ鏡胴４２（レンズ制御部４２ａ）とコントローラ３０とが電気的に接続されることになる。すなわち、レンズ鏡胴４２（レンズ制御部４２ａ）からコントローラ３０に対して電源等を供給することが可能となる。また、コントローラ３０からコネクタ２１及びカメラ装置側接点４１ａ〜４１ｃ等を介して制御信号をレンズ鏡胴４２（レンズ制御部４２ａ）に入力することが可能となる。すなわち、レンズ鏡胴４２（レンズ制御部４２ａ）は、この入力された制御信号に基づいてレンズ鏡胴（内の各レンズ）を制御（ズーム制御あるいはフォーカス制御等）することが可能となる。
【００３０】
次に、上記のように三脚１０を使って撮影している最中に、カメラプレート（及び三脚）に取り付けてあるカメラ装置４０をカメラマンが持って撮影しなければならなくなったとする。この場合、図１に示すスライドスイッチ２３をスライドさせることにより、カメラ装置４０のカメラプレート２０に対して固定を解除することで、瞬時にカメラプレート２０から取り外し撮影することが可能となる。
【００３１】
以上説明したように、本実施形態のカメラシステムによれば、カメラ装置４０がカメラプレート２０に装着された場合、カメラ装置側接点４１ａ〜４１ｃがカメラプレート側接点２２ａ〜２２ｃに接触することにより、コントローラ３０からカメラ装置側接点４１ａ〜４１ｃ等を介して制御信号を入力し、この入力される制御信号に基づいてレンズ鏡胴４２（内の各レンズ）を制御することが可能となる。
【００３２】
すなわち、従来とは異なり、コントローラ３０とカメラ装置４０とがカメラプレート２０を介して接続され、かつ、カメラ装置４０はカメラプレート２０に着脱自在に装着されるように構成されているので、カメラプレート（及び三脚１０）に取り付けてあるカメラ装置４０をカメラマンが持って撮影しなければならなくなった場合であっても、瞬時にカメラプレートから取り外し撮影することが可能となる。
【００３３】
また、コントローラ３０とカメラ装置４０とがカメラプレート２０を介して接続されることになるので、カメラプレート２０を三脚１０から取り外して他の三脚、あるいは、図３に示すように、クレーン装置５０等に装着することにより、他の三脚あるいはクレーン装置５０等であっても、コントローラ３０によりカメラ装置４０をリモート制御することが可能となる。
【００３４】
次に、他のカメラシステム（第２実施形態）について説明する。
【００３５】
図４は、本発明に係るカメラプレートを適用したカメラシステム（第２実施形態）の全体構成を説明するための図である。
【００３６】
本実施形態のカメラシステムにおいては、第１実施形態のカメラシステムとは異なり、カメラ装置４０底面には、各接点４１ａ〜４１ｃの代わりに、赤外線通信部４４が設けられており、カメラプレート２０には、各接点２２ａ〜２２ｃの代わりに、カメラ装置４０が装着された場合にそのカメラ装置４０底面に設けられた赤外線通信部４４と無線データ通信する赤外線通信部２４が設けられている。以下の説明においては、第１実施形態のカメラシステムと同様の構成には第１実施形態で用いた符号と同一の符号を付す。
【００３７】
図４に示すように、本実施形態のカメラシステムは、三脚１０、カメラプレート２０、コントローラ３０、及びカメラ装置４０を備えている。
【００３８】
三脚１０は、一般的な三脚であり、脚部１１、雲台１２、及びチルトパンアーム１３等を備えている。雲台１２の装着面１２ａには、カメラプレート２０が固定されるようになっている。固定の方法としては、例えば、ネジ止めが考えられる。
【００３９】
カメラプレート２０はプレート状の筐体を有しており、その筐体には、図５に示すように、コントローラ３０が接続されるコネクタ２１ａ、２１ｂ、及び、カメラ装置４０が装着された場合にそのカメラ装置４０底面に設けられた赤外線通信部（Ｉｒ）４４との間で赤外線により無線データ通信する赤外線通信部（Ｉｒ）２４、コントローラ３０から入力される制御信号をＡ／Ｄ変換するＡ／Ｄ変換部２５、Ａ／Ｄ変換された制御信号を赤外線通信用データに変換するとともに赤外線通信部２４を制御して赤外線通信を行わせる（プログラムを実行する）ＣＰＵ２６、及び、これらを駆動するための電源（図示せず）等を備えている。Ａ／Ｄ変換部２５とコネクタ２１ａ、２１ｂとは電気的に接続されている。なお、赤外線通信部４４をカメラ装置４０側面に設けることも考えられる。なお、赤外線通信部２４、４４に代えて、Bluetooth等、他の無線通信部を採用することも考えられる。
【００４０】
また、カメラプレート２０には、カメラ装置４０が装着された場合にそのカメラ装置４０をカメラプレート２０に固定するため固定手段（図示せず）が設けられている。この固定手段としては、例えば、カメラ装置４０が装着された場合にカメラ装置４０に係合する係合爪（図示せず）をカメラプレート２０に設ける（あるいは逆に、カメラ装置４０が装着された場合にカメラプレート２０に係合する係合爪（図示せず）をカメラ装置４０に設ける）ことが考えられる。そして、この係合爪による係合を、図４に示すスライドスイッチ２３をスライドさせることにより解除することが考えられる。このようにすれば、カメラ装置４０を瞬時にカメラプレート２０から取り外し撮影することが可能となる。
【００４１】
コントローラ３０は、レンズ鏡胴４２内のレンズを制御するための制御信号を発生するためのものであり、例えば、ズーム速度を指示するための制御信号を発生するズームデマンド３１や、フォーカス位置を指示するための制御信号を発生するフォーカスデマンド３２等である。コントローラ３０はケーブルＫを介してカメラプレート２０のコネクタ２１ａ、２１ｂに接続されている。
【００４２】
カメラ装置４０は、例えばＥＮＧ(Electric News Gathering)カメラであり、その底面に設けられた赤外線通信部４４、赤外線通信部２４から受信したデータをもとのＡ／Ｄ変換された制御信号に変換する（プログラムを実行する）ＣＰＵ４５、ＣＰＵ４５により変換された制御信号をＤ／Ａ変換するＤ／Ａ変換部４６、及びレンズ鏡胴４２（レンズ制御部４２ａ）が接続されるコネクタ４３ａ、４３ｂ等を備えている。Ｄ／Ａ変換部４６とコネクタ４３ａ、４３ｂとは電気的に接続されている。
【００４３】
次に、上記構成のカメラシステムの使用例について簡単に説明する。
【００４４】
まず、三脚１０を使って撮影する場合について説明する。
【００４５】
この場合、まず、図４に示すように、雲台１２の装着面１２ａにカメラプレート２０をネジ止め等により固定する。そして、カメラプレート２０にコントローラ３０が接続されていなければ、コントローラ３０をカメラプレート２０のコネクタ２１に接続する。
【００４６】
次に、雲台１２に固定されたカメラプレート２０にカメラ装置４０を装着する。この装着により、カメラプレート２０の赤外線通信部２２がカメラ装置４０底面に設けられた赤外線通信部４４と対向する。これにより、レンズ鏡胴４２（レンズ制御部４２ａ）とコントローラ３０との間にデータ通信路が設定されることになる。すなわち、コントローラ３０からコネクタ２１及びカメラ装置側接点４１ａ〜４１ｃ等を介して制御信号をレンズ鏡胴４２（レンズ制御部４２ａ）に入力することが可能となる。すなわち、レンズ鏡胴４２（レンズ制御部４２ａ）は、この入力された制御信号に基づいてレンズ鏡胴（内の各レンズ）を制御（ズーム制御あるいはフォーカス制御等）することが可能となる。
【００４７】
次に、上記のように三脚１０を使って撮影している最中に、カメラプレート（及び三脚）に取り付けてあるカメラ装置４０をカメラマンが持って撮影しなければならなくなったとする。この場合、図４に示すスライドスイッチ２３をスライドさせることにより、カメラ装置４０のカメラプレート２０に対して固定を解除することで、瞬時にカメラプレート２０から取り外し撮影することが可能となる。
【００４８】
以上説明したように、本実施形態のカメラシステムによれば、カメラ装置４０が装着された場合、赤外線通信部４４が赤外線通信部２４との間で無線データ通信することにより、コントローラ３０から赤外線通信部４４等を介して制御信号を入力し、この入力される制御信号に基づいてレンズ鏡胴４２（内の各レンズ）を制御可能となる。
【００４９】
すなわち、従来とは異なり、コントローラ３０とカメラ装置４０とがカメラプレート２０を介して接続され、かつ、カメラ装置４０はカメラプレート２０に着脱自在に装着されるように構成されているので、カメラプレート（及び三脚１０）に取り付けてあるカメラ装置４０をカメラマンが持って撮影しなければならなくなった場合であっても、瞬時にカメラプレートから取り外し撮影することが可能となる。
【００５０】
また、コントローラ３０とカメラ装置４０とがカメラプレート２０を介して接続されることになるので、カメラプレート２０を三脚１０から取り外して他の三脚、あるいは、図３に示すように、クレーン装置５０等に装着することにより、他の三脚あるいはクレーン装置５０等であっても、コントローラ３０によりカメラ装置４０をリモート制御することが可能となる。
【００５１】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００５２】
【図１】本発明に係るカメラプレートを適用したカメラシステム（第１実施形態）の全体構成を説明するための図である。
【図２】第１実施形態のカメラプレートやカメラ装置等の内部回路及び接続関係等を説明するための図である。
【図３】変形例を説明するための図である。
【図４】本発明に係るカメラプレートを適用したカメラシステム（第２実施形態）の全体構成を説明するための図である。
【図５】第１実施形態のカメラプレートやカメラ装置等の内部回路及び接続関係等を説明するための図である。
【符号の説明】
【００５３】
１０…三脚、１１…脚部、１２…雲台、１２ａ…装着面、１３…チルトパンアーム、２０…カメラプレート、２１…コネクタ、２１ａ…コネクタ、２２…赤外線通信部、２２ａ…接点、２３…スライドスイッチ、２４…赤外線通信部、２５…Ａ／Ｄ変換部、３０…コントローラ、３１…ズームデマンド、３２…フォーカスデマンド、４０…カメラ装置、４１ａ…カメラ装置側接点、４２…レンズ鏡胴、４２ａ…レンズ制御部、４３…コネクタ、４３ａ…コネクタ、４４…赤外線通信部、４５…ＣＰＵ、４６…変換部、５０…クレーン装置、Ｋ…ケーブル、２２ａ・２２ｂ・２２ｃ…カメラ装置側接点、４１ａ・４１ｂ・４１ｃ…カメラ装置側接点
【図１】
2007300326.tif 000003
【図２】
2007300326.tif 000004
【図３】
2007300326.tif 000005
【図４】
2007300326.tif 000006
【図５】
2007300326.tif 000007